(57)【要約】【課題】アークノイズを排除できるモータ駆動組立体を提供する。【解決手段】モータ駆動組立体はモータ（２）を含む。モータ（２）は、外側ハウジング（４）と、外側ハウジング（４）に収容されたロータ及びブラシホルダとを含む。ロータは、外側ハウジング（４）から外に延びている。外側ハウジング（４）の内部で整流子（２０）が回転軸（６）に固定される。整流子（２０）と接触するブラシ（２４）がブラシホルダに配置される。回転軸（６）に対して固定された可視識別マーク（８）が、モータの外側ハウジング（４）の外部に配置され、回転軸（６）の回転方向におけるブラシと整流子（２０）との間の相対位置が、回転軸の回転方向における外側ハウジング（４）に対する可視識別マーク（８）の位置を参照することによって識別可能である。従って、整流子（２０）は、アークノイズが発生し易い位置で停止することが防止される。【選択図】図１
2017108614.tif 000002
【特許請求の範囲】
【請求項１】
モータ（２）を備えるモータ駆動組立体であって、前記モータ（２）は、
外側ハウジング（４）と、
前記外側ハウジング（４）に収容され、前記外側ハウジング（４）から外に延びる回転軸（６）と、前記外側ハウジング（４）の中で前記回転軸（６）の軸部分に固定された整流子（２０）とを含むロータと、
前記外側ハウジング（４）に収容され、その上に配置された整流子（２０）と接触するブラシ（２４）を含むブラシホルダと、
を備え、
前記回転軸（６）に対して固定された可視識別マーク（８）が、前記モータの前記外側ハウジング（４）の外部に配置され、回転軸（６）の回転方向における前記ブラシ（２４）と前記整流子（２０）との間の相対位置が、前記回転軸（６）の回転方向における前記外側ハウジング（４）に対する前記可視識別マーク（８）の位置を参照することによって識別可能である、モータ駆動組立体。
【請求項２】
前記可視識別マーク（８）は、前記外側ハウジング（４）の外部で前記回転軸（６）に配置される、請求項１に記載のモータ駆動組立体。
【請求項３】
前記可視識別マーク（８）は、前記回転軸（６）の外周面に配置された光学反射マーク、色マーク、又は平面である、請求項２に記載のモータ駆動組立体。
【請求項４】
前記可視識別マーク（８）は、前記外側ハウジング（４）から離れた前記回転軸（６）の一端に配置される、請求項２に記載のモータ駆動組立体。
【請求項５】
前記ハウジングの外側で前記回転軸（６）に固定的に結合されて前記回転軸（６）と一緒に回転するウォーム（１０）をさらに備え、前記ウォーム（１０）は、ウォーム歯車に噛み合うように構成され、前記可視識別マーク（８）は、前記ウォーム（１０）に配置される、請求項１に記載のモータ駆動組立体。
【請求項６】
固定ブロック（１６）が前記回転軸（６）に固定され、前記ウォーム（１０）は、ねじ部分（１２）と、前記ねじ部分（１２）の一端における固定リング（１４）とを含み、前記固定リング（１４）は、前記固定ブロック（１６）の周りに取り付けられて前記回転軸（６）の回転方向において前記固定ブロック（１６）に対して固定され、前記可視識別マーク（８）は、前記固定リング（１４）に配置される、請求項５に記載のモータ駆動組立体。
【請求項７】
前記可視識別マーク（８）は、前記固定リング（１４）の外周面に配置された光学反射マーク、色マーク、又は平面である、請求項６に記載のモータ駆動組立体。
【請求項８】
前記可視識別マーク（８）は、前記外側ハウジング（４）から離れた前記ウォーム（１０）の一端に配置される、請求項５に記載のモータ駆動組立体。
【発明の詳細な説明】
【技術分野】
【０００１】
本発明は、モータ駆動組立体に関し、より具体的には、アークノイズを排除できるモータ駆動組立体に関する。
【背景技術】
【０００２】
モータの停止状態において、モータのブラシ及び整流子が、ブラシが２つの隣接する整流子のセグメントの両方に接近する相対位置にある場合、２つのセグメントは短絡してブラシと整流子との間で電気アークが発生する可能性があり、電気アークによって大きなアークノイズが生じる場合があり、これはモータのエンドユーザにとって非常に迷惑である。この問題は、特に整流子セグメントの数が少ない（例えば、３バー型電機子）場合に生じ易い。このようなアークノイズを防止するために、モータが停止状態にある場合に、ブラシと整流子との間の相対位置を制御することが必要である。しかしながら、作業者がモータを歯車伝達機構等の伝達機構に取り付ける場合、整流子及びブラシの全てが外側ハウジングの中に取り付けられるのでこれらを観察することができない。その結果、作業者は、モータ駆動機構が組み立てられた後にブラシと整流子との間の相対位置を知ることができないので整流子セグメント短絡を確実に防止することができない。
【発明の概要】
【発明が解決しようとする課題】
【０００３】
従って、アークノイズを排除できるモータ駆動組立体に対する要望がある。
【課題を解決するための手段】
【０００４】
モータを含むモータ駆動組立体が提供される。モータは、外側ハウジングと、外側ハウジングに収容されたロータ及びブラシホルダとを含む。ロータは、外側ハウジングから外に延びる回転軸を含む。外側ハウジングの内部にある回転軸の軸部分に整流子が固定される。整流子と接触するブラシがブラシホルダに配置される。回転軸に対して固定された可視識別マークがモータの外側ハウジングの外部に配置され、回転軸の回転方向におけるブラシと整流子との間の相対位置が、回転軸の回転方向における外側ハウジングに対する可視識別マークの位置を参照することによって識別可能である。
【０００５】
好ましくは、可視識別マークは、外側ハウジングの外部に位置する回転軸の軸部分に配置される。
【０００６】
好ましくは、可視識別マークは、回転軸の外周面に配置された光学反射マーク、色マーク、又は平面である。
【０００７】
好ましくは、可視識別マークは、外側ハウジングから離れた回転軸の一端に配置される。
【０００８】
好ましくは、モータ駆動組立体は、ハウジングの外部にある回転軸の軸部分に固定的に結合されて回転軸と一緒に回転するウォームをさらに備え、ウォームは、ウォーム歯車へ駆動的に結合するように構成され、可視識別マークはウォームに配置される。
【０００９】
好ましくは、回転軸に固定ブロックが固定され、ウォームは、ねじ部分と、ねじ部分の一端にある固定リングとを含み、固定リングは、固定ブロックの周りに取り付けられて、回転軸の回転方向において固定ブロックに対して固定され、可視識別マークは固定リングに配置される。
【００１０】
好ましくは、可視識別マークは、固定リングの外周面に配置された光学反射マーク、色マーク、又は平面である。
【００１１】
好ましくは、可視識別マークは、外側ハウジングから離れたウォームの一端に配置される。
【００１２】
以上を考慮して、本発明によるアークノイズを排除できるモータ駆動組立体では、回転軸に対して固定された可視識別マークは、モータの外側ハウジングの外部に配置され、回転軸の回転方向におけるブラシと整流子との間の相対位置は、回転軸の回転方向における外側ハウジングに対する可視識別マークの位置を参照することによって識別できる。従って、モータを歯車伝達機構に組み付ける際に、作業者は、可視識別マークを参照することによって、ブラシと整流子との間の相対位置を特定することができ、結果的にアークノイズが発生し易い位置で整流子が停止することを防止できる。本発明のモータ駆動組立体は、構造が簡単であり、製造が容易であり、ブラシの位置によって生じるアークノイズの問題に確実に対処することができるので、市場に出すのが容易である。
【図面の簡単な説明】
【００１３】
【図１】１つの実施形態による回転軸上に配置された可視識別マークを示す。
【図２】１つの実施形態によるモータの整流子及びブラシを示す。
【図３】別の実施形態による回転軸上に配置された可視識別マークを示す。
【図４】１つの実施形態による固定リング上に配置された可視識別マークを示す。
【図５】図４の実施形態における固定ブロックの装備を示す。
【発明を実施するための形態】
【００１４】
本発明の何れかの実施形態を詳細に説明する前に、本発明の用途は、以下の説明に記載された又は図面に示された構成部品の構成及び配置の詳細内容に限定されないことを理解されたい。本発明は、他の実施形態とすることができ、様々な方法で実行又は実施される。また、本明細書で用いる語法及び用語は、説明を目的としており、限定的とみなすべきでないことを理解されたい。本明細書中の「含む」、「備える」、又は「有する」、及びその派生語の使用は、それ以後に列挙された要素及びその均等物以外に追加の要素を包含することを意味する。特に、「１つ」という用語の使用は、それ以後に列挙された要素の数を１つに限定することを意図していない。むしろ「１つ」という用語の後に列挙された１つ以上の要素を含むことができる。
【００１５】
図１及び図２を参照すると、本発明の１つの実施形態によるアークノイズを排除できるモータ駆動組立体は、モータ２を含む。モータ２は、外側ハウジング４と、外側ハウジング４内に取り付けられたロータ及びブラシホルダ（これは外側ハウジング４によって隠蔽されているので不可視）とを含む。ロータは回転軸６を含む。回転軸６は、外側ハウジング４内の軸部分と、外側ハウジング４から外に延びる軸部分とを含む。外側ハウジング４内の軸部分には、整流子２０が固定的に取り付けられており、整流子２０は、回転軸６と一緒に回転することができる。整流子２０は、円周方向に沿って配置された複数のセグメント２２を含む。ブラシ２４は、ブラシホルダ上に配置されて、整流子２０の各セグメント２２と弾力的かつ摺動可能に接触する。整流子２０、ブラシホルダ、及びブラシ２４は、全て外側ハウジング４内に配置される。上述したように、ブラシ２４と整流子２０との間の相対位置は、直接観察することができない。これらが不適切な位置で取り付けられる場合、隣接する整流子２０の各セグメント２２の間で短絡が生じる可能性がある。
【００１６】
従って、例示の実施形態では、回転軸６に対して固定された可視識別マーク８が、モータ２の外側ハウジング４の外部に配置されており、回転軸６の回転方向におけるブラシ２４と整流子２０との間の相対位置は、回転軸６の回転方向における外側ハウジング４に対する可視識別マーク８の位置を参照することによって識別される。可視識別マーク８は回転軸６に対して固定され、整流子２０も同様に回転軸６に対して固定されるが、ブラシホルダは外側ハウジング４に対して固定される。従って、ブラシの位置は直接観察できないが、整流子２０とブラシとの間の相対位置は、外側ハウジング４に対する可視識別マーク８の位置に照らして間接的に特定することができる。
【００１７】
可視識別マーク８は、外側ハウジング４の外部に位置しかつ回転軸６に対して固定された任意の部品上に配置することができる。例えば、可視識別マーク８は、外側ハウジング４の外部の回転軸６の軸部分上に配置すること、又は回転軸６に対して固定された別の部品上に配置することができる。
【００１８】
図１に図示した実施形態では、可視識別マーク８は、外側ハウジング４から離れた回転軸６の一端に配置されかつ回転軸６の外周面上に形成された平面とすることができる。別の実施形態では、可視識別マーク８は、光学反射マーク又は色マークの形態といった別の形態とすることもできることを理解されたい。また、可視識別マーク８は、モータ組込みの実際の要求に応じて、外側ハウジング４に隣接する回転軸６の一端（図３を参照）等の、外側ハウジング４の外部の回転軸６の別の位置に配置することもできることを理解されたい。
【００１９】
図４及び図５に示すように、別の実施形態では、モータ駆動組立体はウォーム１０をさらに含み、ウォーム１０は、外側ハウジング４の外部の回転軸６の軸部分に固定的に結合され、回転軸６と一緒に回転する。ウォーム１０は、ウォーム歯車（図示しない）に駆動的に結合して、ウォーム歯車を駆動して回転させる。可視識別マーク８は、ウォーム１０上に配置される。
【００２０】
特に、ウォーム１０は、ねじ部分１２と、ねじ部分１２の一端にある固定リング１４とを含む。固定ブロック１６は回転軸６に固定され、固定リング１４は、固定ブロック１６の周りに取り付けられて固定ブロック１６に対して固定される。可視識別マーク８は固定リング１４に配置される。
【００２１】
本実施形態では、固定ブロック１６は、一対の反対側にある平面及び一対の反対側にある円弧面を含む、４つの側面を有する。固定リング１４は、固定ブロック１６の形状と一致する形状を有するように構成され、固定ブロック１６の周りに取り付けられた場合、固定リング１４は、回転軸６の回転方向において固定ブロック１６に対して固定される。固定ブロック１６及び固定リング１４の形状及びこれらの間の結合は、本明細書に説明及び図示されたものに限定すべきでないことを理解されたい。むしろ、回転軸６の回転方向において固定リング１４及び固定ブロック１６が互いに固定され、簡単かつ実際的な構造を有する限り、固定ブロック１６は、三角形のような別の形状とすることもでき、固定リングの形状はそれに対応して変わる。
【００２２】
例示の実施形態では、可視識別マーク８は、固定リング１４の外面上に形成された平面８である。他の実施形態では、可視識別マーク８は、光学反射マーク又は色マークの形態といった別の形態とすることもできる。また、可視識別マーク８は、モータ組込みの実際の要求に応じて、外側ハウジングから離れたウォーム１０の一端といったウォーム１０上の別の位置にも配置できることに留意されたい。
【００２３】
同様に、モータ２の組込みに際して、モータ２の内部のブラシの位置は固定される。可視識別マークとして役立つ平面８の向きは、同様に回転軸６上に固定される整流子の位置に対応する。従って、平面８の向きを観察することによって、整流子とブラシとの間の相対位置を特定することができる。例えば、平面８が上向きの場合、短絡位置（すなわち、１つのブラシが、２つの隣接する整流子セグメントの両方と接触する位置）を表すことができる。従って、例えば歯車伝達機構を用いて車両窓を上方へ又は下方へ移動させるように駆動するモータ用途において、作業者は、回転軸６を回転させることによって、外側ハウジングに対するモータ電機子の初期位置、すなわち識別マークの向きを調整することができ、それによってモータ電機子がその整流子の短絡位置で停止することを防止できる。
【００２４】
要約すると、本発明によるアークノイズを排除できるモータ駆動組立体では、回転軸に対して固定された可視識別マークは、モータの外側ハウジングの外部に配置され、回転軸の回転方向におけるブラシと整流子との間の相対位置は、回転軸の回転方向における外側ハウジングに対する可視識別マークの位置を参照することによって識別できる。従って、モータを歯車伝達機構に組み付ける際に、作業者は、可視識別マークを参照することによって、ブラシと整流子との間の相対位置を特定することができ、結果的にアークノイズが発生し易い位置で整流子が停止することを防止できる。本発明のモータ駆動組立体は、構造が簡単であり、製造が容易であり、ブラシの位置によって生じるアークノイズの問題に確実に対処することができるので、市場に出すのが容易である。
【００２５】
本発明は１又は２以上の実施形態を参照して説明されるが、上記の実施形態の説明は、当業者が本発明を実施又は使用できるようにするためだけに用いられる。当業者であれば、本発明の精神又は範囲から逸脱することなく様々な修正が可能であることを理解できるはずである。本明細書に例示された実施形態は、本発明を限定するものとして解釈されるべきではなく、本発明の範囲は、以下の特許請求の範囲を参照することによって決定される。
【符号の説明】
【００２６】
２  モータ
４  外側ハウジング
６  回転軸
８  可視識別マーク
２０  整流子
２４  ブラシ
【図１】
2017108614.tif 000003
【図２】
2017108614.tif 000004
【図３】
2017108614.tif 000005
【図４】
2017108614.tif 000006
【図５】
2017108614.tif 000007
【外国語明細書】
2017108614000001.pdf